(57)【要約】【課題】筐体部に形成したケーブル挿通孔に対する密閉機能の向上を図る。【解決手段】筐体（筐体部４）のケーブル挿通孔（挿通孔２２）に対しゲル部材（８０）と、保持部材（ベース部材８２）とを固定手段（ネジ２６）で設置する。ゲル部材は、ケーブル（１３）が挿通されたケーブル挿通孔を覆って止水する。保持部材は、合成樹脂で形成され、ゲル部材を筐体に設置して保持するとともに、ゲル部材を貫通してケーブル挿通孔内に突出させる突起部（９６）を備える。固定手段は、ゲル部材を貫通し、保持部材を筐体に固定する。【選択図】図１
2012212772.tif 000002
【特許請求の範囲】
【請求項１】
ケーブル挿通孔を備える筐体と、
ケーブルが挿通された前記ケーブル挿通孔を覆って止水するゲル部材と、
合成樹脂で形成され、前記ゲル部材を前記筐体に設置して保持するとともに、前記ゲル部材を貫通して前記ケーブル挿通孔内に突出させる突起部を備える保持部材と、
前記ゲル部材を貫通し、前記保持部材を前記筐体に固定する固定手段と、
を備えることを特徴とする、電子装置。
【請求項２】
前記保持部材は、前記ゲル部材との接触面側の一部を突出させて、内部に前記固定手段を貫通させる貫通孔又はネジ孔を備えることを特徴とする、請求項１に記載の電子装置。
【請求項３】
前記ゲル部材は、
前記固定手段を貫通させる第１の貫通孔と、
前記保持手段の前記突起部を貫通させる第２の貫通孔と、
を備えることを特徴とする、請求項１又は２に記載の電子装置。
【請求項４】
前記突起部は、前記ゲル部材を貫通して前記ケーブル挿通孔に突出し、前記ケーブルに形成した湾曲部に当接することを特徴とする、請求項１ないし３に記載の電子装置。
【請求項５】
前記筐体は、
内部に前記ケーブルの一端側が挿通される第１の筐体と、
前記第１の筐体と前記ケーブルで接続され、内部に前記ケーブルの他の一端側が挿通される第２の筐体と、
を備え、
該第１の筐体は、前記ゲル部材を貫通した前記固定手段により前記保持部材を固定する止水構造を備えることを特徴とする、請求項１ないし４に記載の電子装置。
【請求項６】
前記第２の筐体は、
合成樹脂で形成され、前記ゲル部材を保持するとともに、前記ゲル部材の周囲に固定部材を貫通させる貫通孔を備えた他の保持部材と、
前記他の保持部材を前記第２の筐体に固定する固定手段と、
を備えることを特徴とする、請求項５に記載の電子装置。
【発明の詳細な説明】
【技術分野】
【０００１】
本発明は、ケーブルを挿通する筐体の止水構造を有する電子装置に関する。
【背景技術】
【０００２】
携帯電話機等の携帯型の電子装置では、筐体内部に対する防水機能として、例えば、筐体ケースの接合部分等に止水構造を備えるものがある。
【０００３】
携帯電子装置には、複数の筐体で構成され、例えば、折り畳み可能に接続したものや前後方向にスライド可能に接続し、一方の筐体が他方の筐体に対して可動するものが知られている。このような携帯電子装置では、固定側筐体と可動側筐体とに備えた基板同士を接続するため例えば、フレキケーブル等のケーブル部材が設置されている。これらの筐体の筐体ケースには、ケーブル部材を内部に挿通させる開口部が設けられており、携帯電子装置の防水機能を維持するためには、この開口部にも止水構造を備える必要がある。
【０００４】
このようなケーブルを挿通させる開口部に対する止水構造を備えた電子装置として、固定側筐体ケース及び可動側筐体の筐体ケースがヒンジによって回転可能に設置され、それぞれの筐体に設置した基板が止水構造を経てフレキケーブルで接続されている。止水構造は、筐体ケースの接合部分に配置され、ゲル状の材量を直方体形状に形成した止水ゲルや、筐体ケースの対になる筐体ケースの接合部分に配置され、例えば、ＴＰＥＥ（ポリエステル系熱可塑性エラストマ）を材料とする押圧部材を備える。そして、止水ゲルと押圧部材によってフレキケーブルが挟持され、筐体ケースを接合する際に、押圧部材によってフレキケーブル及び止水ゲルが押圧されて止水ゲルが変形することが知られている（例えば、特許文献１）。
【先行技術文献】
【特許文献】
【０００５】
【特許文献１】特開２００９−２６９６６号公報
【発明の概要】
【発明が解決しようとする課題】
【０００６】
ところで、ゲル状の部材を用いた止水構造では、ゲルが圧縮されて変形することにより、フレキケーブルの周囲が密閉される。しかし、ゲルは、設置部分により例えば、フレキケーブルを介して押圧される部分と押圧部材によって直接押圧される部分があり、その押圧条件に応じてゲルの圧縮率が異なる。そのため、フレキケーブルの周囲が完全に密閉されないことがある。
【０００７】
また、フレキケーブルの周囲にあるゲルの圧縮率を高めるために、例えば、多数の押圧部材を設置すると、大きな配置スペースが必要になり、携帯電話機等の電子機器の小型化を阻害することになる。
【０００８】
斯かる要求や課題について、特許文献１にはその開示や示唆はなく、それを解決する構成等についての開示や示唆はない。
【０００９】
そこで、本開示の電子装置では、ケーブル挿通孔に対する密閉機能の向上を図ることにある。
【課題を解決するための手段】
【００１０】
上記目的を達成するため、本開示の電子装置は、筐体のケーブル挿通孔に対しゲル部材と、保持部材と固定手段を設置する。ゲル部材は、ケーブルが挿通された前記ケーブル挿通孔を覆って止水する。保持部材は、合成樹脂で形成され、前記ゲル部材を前記筐体に設置して保持するとともに、前記ゲル部材を貫通して前記ケーブル挿通孔内に突出させる突起部を備える。固定手段は、前記ゲル部材を貫通し、前記保持部材を前記筐体に固定する。
【発明の効果】
【００１１】
本開示の電子装置によれば、次のいずれかの効果が得られる。
【００１２】
(1) 保持部材と筐体とを固定する固定手段をゲル部材に貫通させることで、ケーブル部分により近い位置で保持部材と筐体とを固定させることができ、ケーブルの有無によるゲル部材の圧縮率の相違を解消でき、止水の適正化を図ることができる。
【００１３】
(2) また、固定手段が、ゲル部材を貫通し、ケーブルの周囲で保持部材を固定することで、止水手段の省スペース化を図ることができる。
【００１４】
(3) 保持部材を樹脂で形成し、固定手段を保持部材の内部に設置させることで、電子装置のアンテナ機能やその他の実装部品に対する電気的な影響を回避することができる。
【００１５】
そして、本発明の他の目的、特徴及び利点は、添付図面及び各実施の形態を参照することにより、一層明確になるであろう。
【図面の簡単な説明】
【００１６】
【図１】第１の実施の形態に係る携帯電話機の構成例を示す図である。
【図２】閉状態の携帯電話機の外観構成例を示す図である。
【図３】開状態の携帯電話機の外観構成例を示す図である。
【図４】第１の筐体部内におけるケーブルの挿通状態及び止水部品の配置構成例を示す図である。
【図５】挿通孔に止水部品を配置した状態例を示す図である。
【図６】止水部品のケーブル接触面側の構成例を示す図である。
【図７】ゲル部材とベース部材の分離状態の一例を示す図である。
【図８】ベース部材の外観構成例を示す図である。
【図９】図５のＩＸ−ＩＸ線で断面にして見た図である。
【図１０】図２のＸ−Ｘ線で断面にして見た図である。
【図１１】第２の実施の形態に係る固定側筐体部に対する止水部品の設置例を示す図である。
【図１２】携帯電話機の開閉による止水部品の状態例を示す図である。
【図１３】第３の実施の形態に係る固定側筐体部の止水構造例を示す図である。
【図１４】固定側筐体部の止水部品の構成例を示す図である。
【図１５】止水部品のケーブル接触側の構成例を示す図である。
【図１６】止水部品の構成例を示す図である。
【図１７】図１３のＡ−Ａ断面の一例を示す図である。
【図１８】図１３のＢ−Ｂ断面の一例を示す図である。
【図１９】他の実施の形態に係るＰＣの外観構成例を示す図である。
【発明を実施するための形態】
【００１７】
〔第１の実施の形態〕
【００１８】
第１の実施の形態について、図１、図２及び図３を参照する。図１は、第１の実施の形態に係る携帯電話機の構成例を示す図、図２は、閉状態の携帯電話機の外観構成例を示す図、図３は、開状態の携帯電話機の外観構成例を示す図である。図１〜図３に示す構成は、一例であって、これに限定されない。
【００１９】
この携帯電話機２は、本開示の電子装置の一例である。この携帯電話機２は、例えば、第１の筐体部４と第２の筐体部６（図２）を備え、図３に示すように長手方向にスライド可能に積層されている。この筐体部４は、例えば、主に表示側筐体部を構成しており、また、筐体部６は、主に操作側筐体部を構成している。
【００２０】
筐体部４は、本開示の電子装置の筐体の一例であって、例えば、筐体部６に対してスライドする動作を行う可動側筐体部を構成している。図１に示す筐体部４には、例えば、可動フロントケース８と可動リアケース１０により基板部１２が内蔵される。可動フロントケース８や可動リアケース１０は、例えば、樹脂材料の成形体である。この筐体部４は、筐体部６に対してケーブル１３で電気的に接続されている。
【００２１】
可動フロントケース８には、表示窓部１４が形成されており、基板部１２の液晶表示パネル３０を配置させて表示を行っている。また、この表示窓部１４は、例えば、タッチパネルモジュールを設置して、操作入力手段として機能させてもよい。さらに、可動フロントケース８の長手方向の前後端部には、例えば、通話機能に利用する放音孔１６や吸音孔１８が形成されている。その他、可動フロントケース８の側面内部には、例えば、可動リアケース１０や基板部１２に係止させるための係止爪等が形成されているほか、外部側から筐体部４内に対する水等の進入を防止する防水部材を設置してもよい。
【００２２】
可動リアケース１０は、基板部１２を載置して保持するとともに、筐体部４の内部に挿通されたケーブル１３を基板部１２の載置位置に合わせて配置する。このケーブル１３には、例えば、端部にコネクタ１５が設置され、このコネクタ１５と基板部１２側に設置された図示しないコネクタとが接続される。可動リアケース１０には、筐体部４を筐体部６に対してスライドさせるスライドガイド２０や、ケーブル１３を筐体部４の内部に挿通させる挿通孔２２が形成されている。また、この可動リアケース１０には、挿通孔２２から水等の進入を防止するための止水部品２４が設置される。この止水部品２４は、ケーブル１３が挿通された挿通孔２２を覆い、可動リアケース１０の裏面側から例えば、ネジ２６で固定されている。このネジ２６は、止水部品２４を可動リアケース１０に固定する固定手段であるとともに、止水部品２４と可動リアケース１０とを圧着させるための付勢手段の一例である。止水部品２４を固定する手段は、ネジ２６に限られず、締結部品や係止部品等を利用した固定部品が用いられる。
【００２３】
基板部１２は、可動側筐体部４に搭載する機能構成部の一例であって、１又は複数の機能部品が実装されている。この基板部１２には、例えば、液晶表示パネル３０、カメラ３２、アンテナ機能部品３４や液晶表示パネル３０前後両端側にフレキ基板３６、３８等が実装されている。フレキ基板３６は、例えば、スピーカ４０やＬＥＤ（Light Emitting Diode）素子４２が実装されている。フレキ基板３８は、ＬＥＤ素子４２とともに、マイク部品４４やアンテナ機能等が搭載されている。このフレキ基板３８には、例えば、可動リアケース１０への載置において止水部品２４との接触を回避するための開口部４６が形成されている。
【００２４】
携帯電話機２は、図２に示すように、筐体部４が筐体部６の上側に積層されており、閉状態では筐体部６の上面側が筐体部４によって覆われ、接触操作を行わせないように構成されている。この携帯電話機２は、例えば、閉状態においても通話機能やＷｅｂサイトやメール等の表示機能の閲覧等を利用できる。また、表示窓部１４に設置したタッチパネルにより、携帯電話機２の操作を行うこともできる。
【００２５】
図３に示すように、筐体部４が例えば長手方向にスライドすると、筐体部６の上面側が露出する。筐体部６は、携帯電話機２の操作側筐体部の一例であって、スライドする筐体部４に対し、固定側筐体部を構成する。この筐体部６には、キーパッド５０を備えており、テンキー５２や決定キー５６、カーソルキー５４等が配置されている。また、この筐体部６には、先端側の側面部に、例えばテレビやデータ信号を送受信するアンテナ５８が設置されている。
【００２６】
次に、第１の筐体部の内部に設置した止水機能の構成について図４及び図５を参照する。図４は、第１の筐体部内におけるケーブルの挿通状態及び止水部品の配置構成例を示す図、図５は、挿通孔に止水部品を設置した状態例を示す図である。図４、図５に示す構成は一例であって、これに限定されない。
【００２７】
可動リアケース１０の挿通孔２２は、ケーブル１３よりも大きく開口され、また、例えば、長手方向の両端側には止水部品２４を固定するためのネジ２６を挿通させる固定孔６０が形成されている。図４に示す固定孔６０は、挿通孔２２と一連に開口させているが、これに限られず、挿通孔２２から離して開口させてもよい。また、この可動リアケース１０には、例えば、挿通孔２２の周囲に、止水エリア６１として、止水部品２４をガイドするガイド壁６２、６４、６６が形成され、止水部品２４の設置位置を決めている。ガイド壁６２、６４、６６は、例えば、止水部品２４の側面側の一部分又は各側面の全体部分に接触する。なおガイド壁６２、６４、６６は、全てが止水部品２４に接触している必要はなく、可動リアケース１０に対して止水部品２４を一定の位置に導ける程度に接近していればよい。
【００２８】
また、可動リアケース１０には、例えば、挿通孔２２の周囲側の一部に、ケーブル１３を固定するための接着部材６８が設置されている。この接着部材６８は、例えば一部分が止水エリア６１内に配置され、ケーブル１３とともに止水部品２４が設置される。さらに、可動リアケース１０には、例えば、ケーブル１３を係止する係止凹部７０が形成されている。ケーブル１３の一部分には、例えば、係止凹部７０に係止させるための係止凸部７２が形成されている。
【００２９】
止水部品２４は、例えば、ケーブル１３と接触されるゲル部材８０と、ベース部材８２で構成されている。ゲル部材８０は、ケーブル１３が挿通された挿通孔２２を覆って止水する。ベース部材８２は、例えば、合成樹脂で形成され、ゲル部材８０を可動リアケース１０側に設置して保持する保持部材の一例である。
【００３０】
そして、図５に示す止水部品２４がガイド壁６２、６４、６６の位置に合わせて止水エリア６１内に設置され、可動リアケース１０の裏面側からネジ２６によって固定すると、ゲル部材８０が封止エリア６１内に密着し、ケーブル１３の周囲を封止する。
【００３１】
次に、止水部品の構成について図６、図７及び図８を参照する。図６は、止水部品のケーブル接触面側の構成例を示す図、図７は、ゲル部材とベース部材の分離状態の一例を示す図、図８は、ベース部材の外観構成例を示す図である。図６〜図８に示す構成は一例であって、これに限定されない。
【００３２】
止水部品２４は、ゲル部材８０とベース部材８２とが一体化され、例えば、押圧により、又は接着材等によってゲル部材８０の一辺とベース部材８２の一辺とが接触している。このゲル部材８０は、高い粘性を持っているとともに流動性が無く、水分等を浸透させない物質で構成されており、圧力等によって変形する。ベース部材８２には、ゲル部材８０との接触面側に例えば、中央部に所定の間隔を開けて、２つの円筒状の突起部８４、８６が形成されている。この突起部８４、８６は、ゲル部材８０側に向けて突出させており、その内部には、ネジ２６と締結するネジ部８８、９０が挿入されている。ゲル部材８０には、突起部８４、８６を内部に配置させ、ネジ２６を貫通させるように貫通孔９２、９４が形成されている。この貫通孔９２、９４は、本開示の第１の貫通孔の一例である。
【００３３】
また、ベース部材８２には、突起部８４、８６の間に例えば、ゲル部材８０を貫通する突起部９６が形成されている。ゲル部材８０には、この突起部９６を貫通させるための貫通孔９８が形成されており、この貫通孔９８が本開示の第２の貫通孔の一例である。
【００３４】
図７に示すように、ゲル部材８０には、ケーブル１３と接触する面側に例えば、２段階の段差を設定し、低い面側から、凹面部１００、１０２が形成されている。凹面部１００は、例えば、長手方向の幅Ｗ1 がケーブル１３の横幅よりも狭く設定されており、可動リアケース１０に設置されると、ケーブル１３の幅方向の略中央側に配置される。また、この凹面部１００は、貫通孔９８に接続して形成されている。
【００３５】
凹面部１０２は、ゲル部材８０の長手方向に対して、凹面部１００の両側に形成され、貫通孔９２、９４、９８に接している。この凹面部１０２は、ゲル部材８０が可動リアケース１０に設置される場合に、ケーブル１３に接触させる部分であり、この凹面部１０２の長手方向の幅Ｗ2 は、ケーブル１３の幅よりも広く設定されている。
【００３６】
この凹面部１００及び凹面部１０２の深さは、例えば、ケーブル１３の厚さや、ケーブル１３を可動リアケース１０に接着する接着部材６８の厚さ等を考慮して設定すればよい。
【００３７】
ベース部材８２の突起部８４、８６は、ゲル部材８０の貫通孔９２、９４内に突出させることで、ゲル部材８０を保持し、ベース部材８２とゲル部材８０の一体性を維持し、例えば、ゲル部材８０がベース部材８２に対してスライドするのを防止する。突起部８４、８６に設置されたネジ部８８、９０は、例えば、樹脂製のベース部材８２の成形時にインサート成形により設置している。
【００３８】
なお、ネジ部８８、９０は、別部品をインサート成型により設置するものに限られず、例えば、ベース部材８２の突起部８４、８６内をネジ孔に成型してもよい。
【００３９】
突起部９６は、図８に示すように、ベース部材８２の中央部に形成され、突起部８４、８６よりも例えば、高さｈ1 だけ高く突出しており、既述のように、ゲル部材８０の貫通孔９８から突出させる。この突起部９６は、可動リアケース１０の挿通孔２２の位置に合わせて設置されており、挿通孔２２内に突出する。
【００４０】
ベース部材８２には、ゲル部材８０との接触面の反対面側に突起部１０６、１０８を形成している。この突起部１０６、１０８は、ベース部材８２とともに樹脂で一体成形し、内部を空洞化して形成して、突起部８４、８６と接続している。この突起部１０６、１０８は、突起部８４、８６側から挿入されたネジ２６を収納する収納部を構成しており、ネジ２６の設置間隔を例えば、幅Ｗ3 に設定している。この突起部１０６、１０８は、金属製のネジ２６を筐体部４（図１）の内部側に露出させないので、止水部品２４の周辺に設置される電子部品に対して絶縁している。この幅Ｗ3 は、例えば、ゲル部材８０に形成した凹面部１０２の長手方向の幅Ｗ2 と同じに設定してもよい。
【００４１】
次に、ケーブルの挿通状態について、図９及び図１０を参照する。図９は、図５のＩＸ−ＩＸ線で断面にして見た図、図１０は、図２のＸ−Ｘ線で断面にして見た図である。図９、図１０に示す構成は一例であって、これに限定されない。
【００４２】
止水部品２４が可動リアケース１０側に設置され、ネジ２６によって固定されると、ベース部材８２によってゲル部材８０が圧縮される。このとき、可動リアケース１０の端面側に配置されたゲル部材８０の厚さは、ｔ1 となり、また、ケーブル１３との接触側に配置されたゲル部材８０の厚さはｔ2 となる。ケーブル１３の厚さをｔ3 、接着部材６８の厚さをｔ4 とすると、ケーブル１３との接触側のゲル部材８０は、厚さ（ｔ3 ＋ｔ4 ）だけ多く圧縮しており、その分の圧縮力を受けてケーブル１３に密着している。このようにゲル部材８０が圧縮力を受けて縮むことで、ケーブル１３周囲に隙間を生じさせず、適切な止水が可能となる。
【００４３】
挿通孔２２に挿入されたケーブル１３は、例えば、挿通孔２２内で湾曲させ、可動リアケース１０と、リアパネル１１０との間に配置される。このリアパネル１１０は、可動リアケース１０の背面側の一部又は全部に設置されている。そして、例えば、筐体部４がスライドして開状態となった場合に、可動リアケース１０側から挿通されたケーブル１３を外部に露出させないように覆っている。可動リアケース１０から引き出されたケーブル１３は、リアパネル１１０を通じて配置され、例えば、リアパネル１１０の終端部側に達すると、図示しないスライディングモジュール等を通じて筐体部６側に達する。
【００４４】
ベース部材８２に形成された突起部９６は、ゲル部材８０の貫通孔９８を貫通し、挿通孔２２内に配置されている。そして、挿通孔２２内では、突起部９６がケーブル１３の湾曲部に当接している。これにより、突起部９６は、ケーブル１３が引っ張られる等の動きが生じた場合、挿通孔２２内でケーブル１３の湾曲部が膨らむのを阻止する。ケーブル１３の動きは、例えば、携帯電話機２の筐体部４の開閉動作等によるものを含む。
【００４５】
図１０に示すように、ネジ２６がネジ部８８、９０に対して挿入されると、ケーブル１３がゲル部材８０の凹面部１０２に接触する。さらにネジ２６が突起部１０６、１０８内に締め込まれると、ベース部材８２が可動リアケース１０側に押し付けられ、ゲル部材８０が圧縮される。そして、ゲル部材８０が圧縮されると、ゲル部材８０の凹面部１００、１０２がケーブル１３に圧着される。同様に、ゲル部材８０が圧縮されることで、例えば、貫通孔９２、９４や止水部品２４の周囲に広がって、隙間を埋めることができる。
【００４６】
この止水部品２４では、例えばネジ２６の配置間隔を幅Ｗ3 （図８）に設定し、ネジ２６をゲル部材８０に貫通させて止水部品２４を設置するようにしている。このとき、ネジ２６とケーブル１３の側面端部との距離を例えば、Ｗ4 となり、ネジ２６とケーブル１３との距離を接近させて固定できるので、ケーブル１３の周辺部分において、ゲル部材８０が剥離したり、隙間が発生するのを防止できる。
【００４７】
また、この止水部品２４は、固定手段であるネジ２６をゲル部材８０に貫通させることで、幅方向に対して小型化することができ、筐体部４内において、フレキ基板３８等に対する実装スペースが省略できる。さらに、可動フロントケース８に対しても、止水部品２４が干渉する範囲が抑えられるほか、ベース部材８２が樹脂材料により構成されるので、可動フロントケース８に実装された実装部品１１２に対して絶縁される。
【００４８】
斯かる構成によれば、保持部材と筐体とを固定する固定手段をゲル部材に貫通させることで、ケーブル部分により近い位置で保持部材と筐体とを固定させることができ、ケーブルの有無によるゲル部材の圧縮率の相違を解消でき、止水の適正化を図ることができる。また、固定手段が、ゲル部材を貫通し、ケーブルの周囲で保持手段を固定することで、止水手段の省スペース化を図ることができる。保持部材を樹脂で形成し、固定手段を保持部材の内部に設置させることで、電子装置のアンテナ機能やその他の実装部品に対する電気的な影響を回避することができる。
【００４９】
〔第２の実施の形態〕
【００５０】
次に、第２の実施の形態について、図１１及び図１２を参照する。図１１は、第２の実施の形態に係る固定側筐体に対する止水部品の設置例を示す図、図１２は、携帯電話機の開閉による止水部品の状態例を示す図である。図１１、図１２に示す構成は一例であって、これに限定されない。
【００５１】
この携帯電話機２は、本開示の電子装置の一例であって、例えば、既述した止水部品２４と同様の形状を持った止水部品１２４が筐体部６側に設置された場合を示している。筐体部４には、上記実施の形態に示すように、可動リアケース１０の挿通孔２２に対して止水部品２４を設置しており、詳細な説明は省略する。
【００５２】
筐体部６は、例えば、筐体部４側に固定フロントケース１２０と、図示しない固定リアケースとを重ね合わせ、その内部に図示しない実装基板等を収納して構成している。この固定フロントケース１２０には、挿通孔１２２が形成されており、筐体部４側から導かれたケーブル１３が挿入されている。挿通孔１２２から挿入されたケーブル１３は、例えば、上記の実装基板側に接続される。
【００５３】
この携帯電話機２では、筐体部６の外部に向けて開口した挿通孔１２２に対して、筐体部６の内部に水分等が進入するのを阻止する必要があり、この挿通孔１２２に止水部品１２４を設置する。この止水部品１２４は、既述のように、ゲル部材８０とベース部材８２とが積層されており、ゲル部材８０に対して固定手段であるネジ２６を貫通させ、固定フロントケース１２０に固定している。
【００５４】
そして、図１２に示すように、筐体部４の可動リアケース１０側と筐体部６の固定フロントケース１２０側に止水部品２４が設置される。この携帯電話機２には、例えば、固定側筐体部６の先端側に、例えば実装部品として、アンテナ部１２６が実装されている。
【００５５】
閉状態の携帯電話機２では、図１２Ａに示すように、筐体部４の止水部品２４とアンテナ部１２６との距離は、例えばＬ1 であり、携帯電話機２の長手方向の両端側に、離れて配置されている。また、筐体部６の止水部品１２４とアンテナ部１２６との距離は、例えば、Ｌ2 である。これに対し、図１２Ｂに示すように、携帯電話機２が開状態となると、筐体部４の止水部品２４が筐体部６の止水部品１２４に対して、その一部分が上下に重なる位置まで接近する。このとき、止水部品２４とアンテナ部１２６との距離は、例えば、距離Ｌ3 となる。
【００５６】
斯かる構成おいて、既述のように、止水部品を固定するネジ等の金属部品に対して樹脂材料により絶縁していることから、開閉動作により、止水部品を接近させても、筐体部６側の実装部品に対して電気的、又は磁気的な影響を及ぼさない。また、従来は、止水構造において、ゲル部材を板金により固定しており、止水部品が接近するとアンテナ部１２６に対して、アンテナ特性を劣化させる等の影響を与えていた。これに対し、本開示の止水部品２４、１２４のように、樹脂製のベース部材を利用することで、筐体部４、６の開閉を行っても、アンテナ特性への影響を回避することが可能となる。
【００５７】
〔第３の実施の形態〕
【００５８】
次に、第３の実施の形態について、図１３及び図１４を参照する。図１３は、第３の実施の形態に係る固定側筐体部の止水構造例を示す図、図１４は、固定側筐体部の止水部品の構成例を示す図である。図１３、図１４に示す構成は一例であって、これに限定されない。
【００５９】
この携帯電話機１４０は、本開示の電子装置の一例であって、第１の筐体部４と第２の筐体部１４２とがスライド可能に接続されている。筐体部４は、可動側筐体部の一例であって、筐体部１４２側に対してケーブル１３で接続されている。既述のように、この筐体部４の可動リアケース１０には、止水部品２４（図１）が設置されている。これに対し、筐体部１４２には、ケーブル１３の挿通孔に対し、筐体部４とは異なる止水構造を備えている。
【００６０】
筐体部１４２は、第２の筐体部の一例であって、例えば、筐体部４側に配置される固定フロントケース１４４と、固定リアケース１４６を備えており、基板部１４８を内部に配置している。固定フロントケース１４４には、筐体部４側から配線されたケーブル１３を筐体部１４２の内部に挿通させる挿通孔１５０が形成されている。そこで、この挿通孔１５０に対して、固定フロントケース１４４の内部側に止水部品１５２を設置している。
【００６１】
固定リアケース１４６は、例えば、携帯電話機１４０の背面カバーを構成しており、カメラ用の窓部１５４等が設置されている。
【００６２】
基板部１４８は、筐体部６内の機能部品を実装した基板等をユニット化した部品であって、例えば、ＣＰＵやメモリ等の制御基板１５６や、テンキー５２、決定キー５６、カーソルキー５４等に対するセンサや発光手段等を実装した基板１５８を備える。その他この基板部１４８には、既述のアンテナ機能やカメラ１６０等が実装されている。
【００６３】
図１４に示す固定フロントケース１４４には、例えば、挿通孔１５０の周囲に止水部品１５２を固定する複数のネジ１７０を挿入させるネジ孔１７２や、止水部品１５２の側面側をガイドするガイド壁１７４、１７６が形成されている。このネジ孔１７２は、止水部品１５２の周縁部に形成され、例えば、止水部品に対して挿通孔１５０との間に隙間を生じさせず、強固にネジ１７０を固定できるように配置している。図１４に示す止水部品１５２では、例えば、４つのネジ１７０が対角に交わるように配置されている。また、ガイド壁１７４、１７６は、例えば、止水部品１５２の側面部分の全部又は一部をガイドして、所定の設置位置に保持する手段の一例である。このガイド壁１７４、１７６は、例えば、固定フロントケース１４４に一体に成形してもよく、又は別部品を設置して構成してもよい。
【００６４】
なお、止水部品１５２を固定するネジ１７０やガイド壁１７２、１７４は、例えば、固定フロントケース１４４の形状や大きさ、又は筐体部１４２内の実装部品等との関係により、配置する数や形状を設定すればよい。
【００６５】
次に、止水部品の構成について、図１５及び図１６を参照する。図１５は、止水部品のケーブル接触側の構成例を示す図、図１６は、止水部品の構成例を示す図である。図１５、図１６に示す構成は一例であって、これに限定されない。
【００６６】
この止水部品１５２は、例えば、ベース部材１８０、ケーブル１３や挿通孔１５０を覆うゲル部材１８２等で構成している。ゲル部材１８２は、ベース部材１８０によって保持され、例えば、固定フロントケース１４４側に圧着されることで変形し、挿通孔１５０に対してケーブル１３及びその周辺部の隙間を塞ぐ。
【００６７】
ベース部材１８０は、ゲル部材１８２を保持する保持手段であって、本開示の他の保持手段の一例であって、例えば、グラスファイバを含むポリカーボネート等の合成樹脂で形成されている。このベース部材１８０の周縁側には、例えば、固定フロントケース１４４のネジ孔１７２に対応する位置に複数の貫通孔１８４を備えている。この貫通孔１８４は、内部に貫通したネジ１７０の一部を係止してベース部材１８０を固定フロントケース１４４側に固定させる手段である。また、この貫通孔１８４は、係止したネジ１７０の固定圧力により、保持したゲル部材１８２に対して圧力を付加する手段である。ゲル部材１８２は、ベース部材１８０から受ける圧力により、固定フロントケース１４４の挿通孔１５０や、ケーブル１３に対して圧着する。
【００６８】
図１６に示すゲル部材１８２には、例えば、平面部１８７と、ケーブル１３の位置に合わせて段差が形成されており、この段差には、ゲル部材１８２の厚い部分から第１の凹面部１８８、第２の凹面部１９０が形成されている。平面部１８７は、固定フロントケース１４４の挿通孔１５０の周囲に接触する。凹面部１８８、１９０は、既述のゲル部材８０に形成した凹面部１００、１０２と同様に構成しており、例えば、凹面部１８８は、ゲル部材１８２の長手方向に対して、凹面部１９０の両側に形成している。この凹面部１８８は、例えば、ケーブル１３に接触して、その周囲を覆う。また、凹面部１９０は、例えば、横幅がケーブル１３の幅よりも小さく形成されており、ケーブル１３の面の中央側に配置される。
【００６９】
この凹面部１８８及び凹面部１９０の深さは、例えば、ケーブル１３の厚さ等を考慮して設定すればよい。
【００７０】
ベース部材１８０には、例えば、ゲル部材１８２の配置位置に形成した第１のガイド部１８６や、ゲル部材１８２に隣接する位置に第２のガイド部１９２が形成されている。ガイド部１８６は、例えば、ベース部材１８０の一部をゲル部材１８２の形状に合わせて陥没させており、ゲル部材１８２の周囲を覆い、収納して保持する収納凹部を形成している。このガイド部１８６は、例えば、ゲル部材１８２の厚さと同等、又はゲル部材１８２の上部側の一部がベース部材１８０から突出させるように成形している。
【００７１】
また、ガイド部１９２は、挿通孔１５０から筐体部１４２の内部に挿通されたケーブル１３を基板部１４８等のコネクタ等に対する所定の方向にガイドする手段の一例であって、例えば、ガイド部１８６と連結して形成されている。このガイド部１９２は、例えば、ベース部材１８０の一部を陥没させて形成している。このガイド部１９２は、例えば、ケーブルの１３の厚さに合わせて陥没させており、ケーブル１３を保持して導く。
【００７２】
次に、固定フロントケースの止水状態について、図１７及び図１８を参照する。図１７は、図１３のＡ−Ａ断面の一例を示す図、図１８は、図１３のＢ−Ｂ断面の一例を示す図である。図１７、図１８に示す構成は一例であって、これに限定されない。
【００７３】
ベース部材１８０の貫通孔１８４を介して固定フロントケース１４４にネジ１７０を締結すると、図１７に示すように、ベース部材１８０及びゲル部材１８２が固定フロントケース１４４側に圧着される。そして、ゲル部材１８２が、図示しない筐体部４側からケーブル１３を挿通させる挿通孔１５０を覆い、ケーブル１３の周囲等の隙間を塞ぐことができる。
【００７４】
また、図１８に示すように、止水部品１５２が挿通孔１５０側に設置されると、ケーブル１３がゲル部材１８２の凹面部１８８に接触する。そして、ネジ１７０を締結させることで、ベース部材１８０が固定フロントケース１４４側に押し付けられ、ゲル部材１８２が圧縮して凹面部１８８、１９０がケーブル１３に圧着する。
【００７５】
この止水部品１５２は、ゲル部材１８２を避けてネジ１７０が配置されている。これにより、挿通孔１５０は、例えば、高さ方向周辺に配置される基板部１４８に干渉させることなく、止水部品１５２を設置することができる。
【００７６】
斯かる構成によれば、第１の筐体部と第２の筐体部において、内部に配置される機能部品や基板等の構成に応じて異なる止水部品を用いて、強固に止水することができる。また、保持部材を樹脂で形成することで、電子装置のアンテナ機能やその他の実装部品に対する電気的に影響を回避することができる。
【００７７】
ここで、第１から第３の実施の形態について、以下に特徴事項や利点を列挙する。
【００７８】
(1) 本開示の電子装置のフレキケーブルの止水部品は、樹脂製のケース部品でゲル部材を抑えて止水するので、筐体のスライド開閉でアンテナに接近しても干渉等を生じさせず、アンテナ特性の劣化を避けることができる。
【００７９】
(2) この止水部品では、ゲル部材とベース部材とを一体化するとともに、ゲル部材内においてケース間をボス締結することにより止水構造を小型化することができる。
【００８０】
(3) 止水部品の一部に、筐体の挿通孔内に差し込む突起部を設けることで、フレキケーブルの配線ルートが挿通孔以外で膨らまないように保持することができる。
【００８１】
〔他の実施の形態〕
【００８２】
(1) 上記実施の形態では、可動側筐体部４側にゲル部材を貫通させて固定する止水部品２４を備える場合を示したが、これに限られず、例えば、可動側筐体部４の可動リアケース１０にゲル部材の範囲外で固定する止水部品１５２を設置してもよい。このとき、固定側筐体部６側には、ゲル部材を貫通させた止水部品２４を設置すればよい。
【００８３】
(2) 上記実施の形態では、電子装置の一例として携帯電話機の構成を示したが、これに限られず、例えば、図１９に示すように、第１の筐体部２０２と第２の筐体部２０４とをスライド可能にしたＰＣ（Personal Computer ）２００を利用してもよい。この筐体部２０２は、例えば、表示部２０６を備えている。また、筐体部２０４には、例えば、キーボード等の入力操作部２０８を備えている。このＰＣ２００の筐体部２０２、２０４は、例えば、図示しないケーブルで接続されており、各筐体部２０２、２０４の筐体ケースには、ケーブルを挿通させる挿通孔が備えられ、既述のような止水部品を設置する。
【００８４】
その他、電子装置の他の例として、複数の筐体部がスライド可能に接続される携帯ゲーム機や携帯情報端末機（ＰＤＡ：Personal Digital Assistant）等であってもよい。
【００８５】
次に、以上述べた実施例を含む実施の形態に関し、更に以下の付記を開示する。以下の付記に本発明が限定されるものではない。
【００８６】
（付記１）ケーブル挿通孔を備える筐体と、
ケーブルが挿通された前記ケーブル挿通孔を覆って止水するゲル部材と、
合成樹脂で形成され、前記ゲル部材を前記筐体に設置して保持するとともに、前記ゲル部材を貫通して前記ケーブル挿通孔内に突出させる突起部を備える保持部材と、
前記ゲル部材を貫通し、前記保持部材を前記筐体に固定する固定手段と、
を備えることを特徴とする、電子装置。
【００８７】
（付記２）前記保持部材は、前記ゲル部材との接触面側の一部を突出させて、内部に前記固定手段を貫通させる貫通孔又はネジ孔を備えることを特徴とする、付記１に記載の電子装置。
【００８８】
（付記３）前記保持部材は、前記ゲル部材との接触側と反対側の面の一部を突起させて、内部に前記貫通孔又は前記ネジ孔に挿入された前記固定手段を収納する収納部を備えることを特徴とする、付記１又は２に記載の電子機器。
【００８９】
（付記４）前記ゲル部材は、
前記固定手段を貫通させる第１の貫通孔と、
前記保持部材の前記突起部を貫通させる第２の貫通孔と、
を備えることを特徴とする、付記１ないし３の記載の電子装置。
【００９０】
（付記５）前記突起部は、前記ゲル部材を貫通して前記ケーブル挿通孔に突出し、前記ケーブルに形成した湾曲部に当接することを特徴とする、付記１ないし４に記載の電子装置。
【００９１】
（付記６）前記筐体は、
内部に前記ケーブルの一端側が挿通される第１の筐体と、
前記第１の筐体と前記ケーブルで接続され、内部に前記ケーブルの他の一端側が挿通される第２の筐体と、
を備え、
該第１の筐体は、前記ゲル部材を貫通した前記固定手段により前記保持部材を固定する止水構造を備えることを特徴とする、付記１ないし５に記載の電子装置。
【００９２】
（付記７）前記第２の筐体は、
合成樹脂で形成され、前記ゲル部材を保持するとともに、前記ゲル部材の周囲に固定部材を貫通させる貫通孔を備えた他の保持部材と、
前記他の保持部材を前記第２の筐体に固定する固定手段と、
を備えることを特徴とする、付記６に記載の電子装置。
【００９３】
（付記８）前記他の保持手段は、前記ゲル部材を収納保持する収納凹部が形成されていることを特徴とする、付記７に記載の電子装置。
【００９４】
以上説明したように、電子装置の好ましい実施の形態等について説明したが、本発明は、上記記載に限定されるものではなく、特許請求の範囲に記載され、又は発明を実施するための形態に開示された発明の要旨に基づき、当業者において様々な変形や変更が可能であることは勿論であり、斯かる変形や変更が、本発明の範囲に含まれることは言うまでもない。
【符号の説明】
【００９５】
２、１４０  携帯電話機
４、６、１４２、２０２、２０４  筐体部
８  可動フロントケース
１０  可動リアケース
１２、１４８  基板部
１３  ケーブル
１４  表示窓部
２２、１２２、１５０  挿通孔
２４、１２４、１５２  止水部品
２６、１７０  ネジ
３０  液晶表示パネル
３４  アンテナ機能部品
３６、３８  フレキ基板
４０  スピーカ
４２  ＬＥＤ素子
４４  マイク部品
４６  開口部
５８  アンテナ
６０  固定孔
６２、６４、６６、１７４、１７６  ガイド壁
６８  接着部材
７０  係止凹部
７２  係止凸部
８０、１８２  ゲル部材
８２、１８０  ベース部材
８４、８６、９６、１０６、１０８  突起部
８８、９０  ネジ部
９２、９４、９８、１８４  貫通孔
１００、１０２、１８８、１９０  凹面部
１１０  リアパネル
１１２  実装部品
１２０、１４４  固定フロントケース
１２６  アンテナ部
１４６  固定リアケース
１７２  ネジ孔
１８６、１９２  ガイド部
２００  ＰＣ
【図１】
2012212772.tif 000003
【図２】
2012212772.tif 000004
【図３】
2012212772.tif 000005
【図４】
2012212772.tif 000006
【図５】
2012212772.tif 000007
【図６】
2012212772.tif 000008
【図７】
2012212772.tif 000009
【図８】
2012212772.tif 000010
【図９】
2012212772.tif 000011
【図１０】
2012212772.tif 000012
【図１１】
2012212772.tif 000013
【図１２】
2012212772.tif 000014
【図１３】
2012212772.tif 000015
【図１４】
2012212772.tif 000016
【図１５】
2012212772.tif 000017
【図１６】
2012212772.tif 000018
【図１７】
2012212772.tif 000019
【図１８】
2012212772.tif 000020
【図１９】
2012212772.tif 000021